(57)【要約】【課題】従来装置と比べ、二酸化マンガンを含む酸化触媒が充填された酸化処理槽の水洗浄時の流速を大幅に低減することが可能な鉄／マンガン含有水の処理装置および処理方法を提供する。【解決手段】鉄およびマンガンのうち少なくとも１つを含む鉄／マンガン含有水に酸化剤を添加する酸化剤槽１８と、酸化剤が添加された酸化剤添加水を酸化処理する、二酸化マンガンを含む酸化触媒が充填された酸化処理槽１２と、酸化処理された酸化処理水を膜ろ過する膜ろ過装置１４と、水を用いて酸化処理槽１２を洗浄する水洗浄手段と、気体を用いて酸化処理槽１２を洗浄する気体洗浄手段と、を備える鉄／マンガン含有水の処理装置である。【選択図】図１
2015147155.tif 000002
【特許請求の範囲】
【請求項１】
鉄およびマンガンのうち少なくとも１つを含む鉄／マンガン含有水に酸化剤を添加する酸化剤添加手段と、
前記酸化剤が添加された酸化剤添加水を酸化処理する、二酸化マンガンを含む酸化触媒が充填された酸化処理槽と、
前記酸化処理された酸化処理水を膜ろ過する膜ろ過手段と、
水を用いて前記酸化処理槽を洗浄する水洗浄手段と、
気体を用いて前記酸化処理槽を洗浄する気体洗浄手段と、
を備えることを特徴とする鉄／マンガン含有水の処理装置。
【請求項２】
請求項１に記載の鉄／マンガン含有水の処理装置であって、
前記水洗浄手段による前記酸化処理槽の水洗浄時のＬＶが、前記酸化処理槽への通水時と同流速であることを特徴とする鉄／マンガン含有水の処理装置。
【請求項３】
請求項１または２に記載の鉄／マンガン含有水の処理装置であって、
前記気体洗浄手段による前記酸化処理槽の気体洗浄時のＬＶが、１０〜１５０ｍ／ｈの範囲であることを特徴とする鉄／マンガン含有水の処理装置。
【請求項４】
請求項１〜３のいずれか１項に記載の鉄／マンガン含有水の処理装置であって、
前記気体洗浄手段は、前記酸化処理槽の触媒粒子支持層中に設置された気体洗浄管であることを特徴とする鉄／マンガン含有水の処理装置。
【請求項５】
鉄およびマンガンのうち少なくとも１つを含む鉄／マンガン含有水に酸化剤を添加する酸化剤添加工程と、
前記酸化剤が添加された酸化剤添加水を、二酸化マンガンを含む酸化触媒が充填された酸化処理槽に通水して酸化処理する酸化処理工程と、
前記酸化処理された酸化処理水を膜ろ過する膜ろ過工程と、
水を用いて前記酸化処理槽を洗浄する水洗浄工程と、
気体を用いて前記酸化処理槽を洗浄する気体洗浄工程と、
を含むことを特徴とする鉄／マンガン含有水の処理方法。
【請求項６】
請求項５に記載の鉄／マンガン含有水の処理方法であって、
前記水洗浄工程における前記酸化処理槽の水洗浄時のＬＶが、前記酸化処理槽への通水時と同流速であることを特徴とする鉄／マンガン含有水の処理方法。
【請求項７】
請求項５または６に記載の鉄／マンガン含有水の処理方法であって、
前記気体洗浄工程における前記酸化処理槽の気体洗浄時のＬＶが、１０〜１５０ｍ／ｈの範囲であることを特徴とする鉄／マンガン含有水の処理方法。
【請求項８】
請求項５〜７のいずれか１項に記載の鉄／マンガン含有水の処理方法であって、
前記気体洗浄工程で用いられる前記酸化処理槽の気体洗浄管が触媒粒子支持層中に設置されていることを特徴とする鉄／マンガン含有水の処理方法。
【発明の詳細な説明】
【技術分野】
【０００１】
本発明は、浄水処理場等で用いられる、鉄およびマンガンのうち少なくとも１つを含む鉄／マンガン含有水の処理装置および処理方法に関する。
【背景技術】
【０００２】
上水源となる河川水や地下水等には溶解性鉄や溶解性マンガンが含まれている場合がある。このような鉄およびマンガンのうち少なくとも１つを含む鉄／マンガン含有水中の溶解性鉄や溶解性マンガンを除去する方法としては、接触マンガン砂ろ過法が知られている。接触マンガン砂ろ過法は、原水をマンガン砂の酸化処理槽中を下向流で通過させる間に、溶解性マンガンを酸化析出させ、マンガン砂に捕捉させる方法である。
【０００３】
また、鉄／マンガン含有水の高速処理を行う方法として、鉄／マンガン含有水に塩素等の酸化剤を添加しながら、二酸化マンガンを含む酸化触媒が充填された酸化処理槽に例えば１，０００ｍ／日以上の高線速の上向流として通水して、原水中の鉄およびマンガンを酸化析出させ、この酸化処理槽の通過水を膜ろ過することにより、酸化析出物を除去する方法が知られている（例えば、特許文献１参照）。例えば、図２に示すように、原水槽５０からの原水（鉄／マンガン含有水）に酸化剤槽５８から酸化剤を添加しながら、二酸化マンガンを含む酸化触媒が充填された酸化処理槽５２に例えば１，０００ｍ／日以上の高線速の上向流として通水して、原水中の鉄およびマンガンを酸化析出させ、この酸化処理槽５２からの酸化処理水を膜ろ過装置５４により膜ろ過し、処理水槽５６に処理水を得る。この方法は、従来型の接触マンガン砂ろ過法と比べて、高線速で酸化処理槽に原水を通水できるため、設備を小型化することができるうえ、原水中の濁質による閉塞が少ないため、酸化処理槽の洗浄頻度も少なくできるという利点を持つ。
【０００４】
しかし、この装置で酸化処理槽の洗浄を行う場合、例えば特許文献１に記載の発明によれば、水洗浄時の流速を平常運転時の流速を超え、２，０００〜３，５００ｍ／日というさらに高流速の上向流として原水を酸化処理槽に通水しなければいけないため、所定の排水処理量に対してポンプ、配管等が過大設備となってしまうという問題があった。
【先行技術文献】
【特許文献】
【０００５】
【特許文献１】特許第３７８６８８８号公報
【発明の概要】
【発明が解決しようとする課題】
【０００６】
本発明の目的は、従来装置と比べ、二酸化マンガンを含む酸化触媒が充填された酸化処理槽の水洗浄時の流速を大幅に低減することが可能な鉄／マンガン含有水の処理装置および処理方法を提供することにある。
【課題を解決するための手段】
【０００７】
本発明は、鉄およびマンガンのうち少なくとも１つを含む鉄／マンガン含有水に酸化剤を添加する酸化剤添加手段と、前記酸化剤が添加された酸化剤添加水を酸化処理する、二酸化マンガンを含む酸化触媒が充填された酸化処理槽と、前記酸化処理された酸化処理水を膜ろ過する膜ろ過手段と、水を用いて前記酸化処理槽を洗浄する水洗浄手段と、気体を用いて前記酸化処理槽を洗浄する空気洗浄手段と、を備える鉄／マンガン含有水の処理装置である。
【０００８】
また、前記鉄／マンガン含有水の処理装置において、前記水洗浄手段による前記酸化処理槽の水洗浄時のＬＶが、前記酸化処理槽への通水時と同流速であることが好ましい。
【０００９】
また、前記鉄／マンガン含有水の処理装置において、前記気体洗浄手段による前記酸化処理槽の気体洗浄時のＬＶが、１０〜１５０ｍ／ｈの範囲であることが好ましい。
【００１０】
また、前記鉄／マンガン含有水の処理装置において、前記気体洗浄手段は、前記酸化処理槽の触媒粒子支持層中に設置された気体洗浄管であることが好ましい。
【００１１】
また、本発明は、鉄およびマンガンのうち少なくとも１つを含む鉄／マンガン含有水に酸化剤を添加する酸化剤添加工程と、前記酸化剤が添加された酸化剤添加水を、二酸化マンガンを含む酸化触媒が充填された酸化処理槽に通水して酸化処理する酸化処理工程と、前記酸化処理された酸化処理水を膜ろ過する膜ろ過工程と、水を用いて前記酸化処理槽を洗浄する水洗浄工程と、気体を用いて前記酸化処理槽を洗浄する気体洗浄工程と、を含む鉄／マンガン含有水の処理方法である。
【００１２】
また、前記鉄／マンガン含有水の処理方法において、前記水洗浄工程における前記酸化処理槽の水洗浄時のＬＶが、前記酸化処理槽への通水時と同流速であることが好ましい。
【００１３】
また、前記鉄／マンガン含有水の処理方法において、前記気体洗浄工程における前記酸化処理槽の気体洗浄時のＬＶが、１０〜１５０ｍ／ｈの範囲であることが好ましい。
【００１４】
また、前記鉄／マンガン含有水の処理方法において、前記気体洗浄工程で用いられる前記酸化処理槽の気体洗浄管が触媒粒子支持層中に設置されていることが好ましい。
【発明の効果】
【００１５】
本発明では、鉄／マンガン含有水の処理において、二酸化マンガンを含む酸化触媒が充填された酸化処理槽の洗浄に水と気体を併用することにより、従来装置と比べ、酸化処理槽の水洗浄時の流速を大幅に低減することが可能となる。
【図面の簡単な説明】
【００１６】
【図１】本発明の実施形態に係る鉄／マンガン含有水の処理装置の一例を示す概略構成図である。
【図２】従来の鉄／マンガン含有水の処理装置を示す概略構成図である。
【発明を実施するための形態】
【００１７】
本発明の実施の形態について以下説明する。本実施形態は本発明を実施する一例であって、本発明は本実施形態に限定されるものではない。
【００１８】
本発明の実施形態に係る鉄／マンガン含有水の処理装置の一例の概略を図１に示し、その構成について説明する。鉄／マンガン含有水処理装置１は、二酸化マンガンを含む酸化触媒が充填された酸化処理槽１２と、膜ろ過手段としての膜ろ過装置１４とを備える。鉄／マンガン含有水処理装置１は、原水槽１０と、処理水槽１６とを備えてもよい。
【００１９】
鉄／マンガン含有水処理装置１において、原水槽１０の入口には、原水配管２８が接続され、原水槽１の出口と酸化処理槽１２の下部入口とは、ポンプ２２を介して、原水供給配管３０により接続され、酸化処理槽１２の上部出口と膜ろ過装置１４の入口とは、酸化処理水配管３２により接続され、膜ろ過装置１４の出口と処理水槽１６の入口とは、処理水配管３４により接続され、処理水槽１６の出口には処理水排出配管３６が接続されている。処理水槽１６の下部は、ポンプ２４を介して逆洗配管３８により、処理水配管３４の途中に接続されている。原水供給配管３０の途中には、酸化剤添加手段としての酸化剤槽１８の出口がポンプ２６を介して酸化剤供給配管４０により接続されている。酸化処理槽１２の下部には、気体洗浄手段としてのコンプレッサ２０が気体供給配管４２により接続されている。
【００２０】
本実施形態に係る鉄／マンガン含有水の処理方法および鉄／マンガン含有水処理装置１の動作について説明する。
【００２１】
原水である、鉄およびマンガンのうち少なくとも１つを含む鉄／マンガン含有水は、必要に応じて原水配管２８を通して原水槽１０に貯留された後、ポンプ２２により原水供給配管３０を通して酸化処理槽１２へ送液される。この際、原水には原水供給配管３０の途中で、酸化剤槽１８から酸化剤がポンプ２６により酸化剤供給配管４０を通して添加され（酸化剤添加工程）、酸化剤添加水として酸化処理槽１２に送液される。本実施形態では、酸化剤槽１８、ポンプ２６および酸化剤供給配管４０が酸化剤添加手段として機能する。なお、原水への酸化剤の添加は、原水槽１０において行われてもよいし、原水槽１０と酸化処理槽１２との間に別途、酸化剤混合槽を設けて、酸化剤混合槽において行われてもよい。
【００２２】
酸化処理槽１２において、二酸化マンガンを含む酸化触媒により触媒層が形成され、酸化剤添加水は上向流により触媒層に通水され、二酸化マンガンを含む酸化触媒により酸化処理される（酸化処理工程）。鉄／マンガン含有水に酸化剤が添加されながら、二酸化マンガンを含む酸化触媒が充填された酸化処理槽１２に通水されることにより、溶存鉄および溶存マンガンが酸化析出される。
【００２３】
酸化処理された酸化処理水は、酸化処理水配管３２を通して膜ろ過装置１４へ送液され、膜ろ過装置１４において酸化析出された鉄およびマンガン等の析出物がろ過され、除去される（膜ろ過工程）。
【００２４】
膜ろ過された処理水は、処理水配管３４を通して処理水槽１６へ送液され、貯留される。処理水槽１６の処理水の少なくとも一部は、処理水排出配管３６を通して系外へ排出され、膜ろ過装置１４の膜の洗浄が必要となった場合、処理水の少なくとも一部は、ポンプ２４により逆洗配管３８を通して膜ろ過装置１４へ出口側から送液されて、膜ろ過装置１４の逆洗に用いられてもよい（逆洗工程）。逆洗排水は、逆洗排水出口より逆洗排水配管４４を通して排出される。
【００２５】
所定の時間、鉄／マンガン含有水の処理が行われた後、原水の通水が停止され、水および気体を併用して酸化処理槽１２の洗浄が行われる。例えば、コンプレッサ２０から空気が気体供給配管４２を通して上向流により触媒層に所定の時間、通気され、気体による洗浄が行われる（気体洗浄工程）。次に、通気が停止された後、原水槽１０からポンプ２２により原水供給配管３０を通して原水が上向流により触媒層に所定の時間、通液され、水による洗浄が行われる（水洗浄工程）。この場合、原水槽１０およびポンプ２２が、水洗浄手段として機能することになる。
【００２６】
ここで、「水および気体を併用する」洗浄としては、上記の通り、気体洗浄工程の後、通気が停止された後、水洗浄工程が行われてもよいし、気体を水と共に触媒層に通してもよい。触媒層の洗浄効果を高める観点からは、気体洗浄工程の後、水洗浄工程が行われることが好ましい。
【００２７】
水による洗浄は、上記の通り、原水を用いてもよいし、別途、水洗浄手段として水槽およびポンプ等を設け、原水以外の水を触媒層に通液してもよい。処理液量をできるだけ増加させないという観点からは、原水を用いて充填層１２を水洗することが好ましい。
【００２８】
気体洗浄工程において用いられる気体としては、例えば、空気、窒素等が挙げられるが、コスト等の観点から、通常は空気が用いられる。
【００２９】
本実施形態に係る鉄／マンガン含有水の処理では、鉄／マンガン含有水に酸化剤を添加しながら、二酸化マンガンを含む酸化触媒の酸化処理槽１２に通水することにより、溶存鉄および溶存マンガンを酸化析出させ、その酸化処理水を膜ろ過し、酸化処理槽１２の洗浄に水と気体を併用する。
【００３０】
酸化処理槽１２の洗浄に水と気体を併用することにより、従来装置と比べて水洗浄時の流速を大幅に低減することが可能となり、洗浄排水量も少なくすることができる。二酸化マンガンを含む酸化触媒への付着物を効率的に洗浄することが可能となる。上記特許文献１では、例えば酸化処理槽への通水時の流速が１，５００ｍ／日の場合、洗浄時は２，０００〜３，５００ｍ／日の高流速の上向流として原水を通水しなければならないため、所定の処理量に対してポンプ、配管等が過大設備となってしまう。一方、本実施形態に係る鉄／マンガン含有水の処理によれば、酸化処理槽１２の水洗浄時のＬＶが、酸化処理槽１２への原水の通水時と同流速であってもよい。このため、ポンプ、配管等を過大に設計しなくてもよい。また、発生する洗浄排水量も少なくなるため、洗浄排水の処理設備が小型化できるという利点もある。なお、「同流速」とは、例えば、通水時に１，０００〜１，５００ｍ／日の範囲の流速で運転を行っている場合は、酸化処理槽の洗浄に水と気体を併用して、水洗浄時のＬＶを１，０００〜１，５００ｍ／日の範囲とすればよい。
【００３１】
酸化処理槽１２の気体洗浄時のＬＶは、１０〜１５０ｍ／ｈの範囲であることが好ましく、４０〜１００ｍ／ｈの範囲であることがより好ましい。酸化処理槽１２の気体洗浄時のＬＶが１０ｍ／ｈ未満であると、洗浄が不十分となる場合があり、１５０ｍ／ｈを超えると、コンプレッサが過大となり、ランニングコストが増加する場合がある。
【００３２】
気体洗浄に用いられる気体を酸化処理槽１２の触媒層に通気するための洗浄管が、触媒層を支持する触媒支持砂利層等の触媒支持層中に設置されることにより、酸化処理槽１２内での気体溜りの影響を低減することができ、気体による効率的な触媒の洗浄が可能となる。また、気体溜りが抑制されることにより、気体洗浄時の触媒の系外流出を抑制することも可能となる。洗浄管としては、円筒状等の管の側面、底面、上面のうち少なくともいずれかに少なくとも１つの気体吐出口を設けたもの等が用いられる。
【００３３】
酸化剤としては、次亜塩素酸ナトリウム、さらし粉、過マンガン酸カリウム、二酸化塩素等が挙げられ、ランニングコスト、汎用性等の点から、次亜塩素酸ナトリウムが好ましい。
【００３４】
酸化剤の添加量は、例えば、鉄／マンガン含有水中の溶解性鉄に対しては、鉄の含有量１モルに対して０．５モル以上２モル以下の範囲、溶解性マンガンに対しては、マンガン含有量１モルに対して１モル以上４モル以下の範囲である。酸化剤の添加量が上記の値未満であると、反応が不十分となる場合があり、過剰に入れすぎると、コスト面で不利となる上に、トリハロメタン生成量が増大する場合がある。
【００３５】
酸化処理槽１２で用いられる二酸化マンガンを含む酸化触媒としては、例えば、二酸化マンガンが粒状、固形状となった酸化触媒や、マンガン砂等が挙げられる。また、二酸化マンガンとしては、特に制限はなく、α型、β型、ε型、γ型、λ型、δ型およびＲ型の結晶構造を有する二酸化マンガンが挙げられ、これらのうち、反応性等の点から、β型の結晶構造を有する二酸化マンガンが好ましい。
【００３６】
酸化処理槽１２では、二酸化マンガンを含む酸化触媒は上向流で原水が触媒層に通水されることにより、流動状態となり膨張床が形成される。
【００３７】
二酸化マンガンを含む酸化触媒の密度は、２．８ｇ／ｃｍ３以上であることが好ましい。二酸化マンガンを含む酸化触媒の密度が２．８ｇ／ｃｍ３未満であると、高速で通水した場合に触媒が展開し、酸化処理槽１２の槽高が高くなる場合がある。
【００３８】
二酸化マンガンを含む酸化触媒の粒径は、０．４ｍｍ〜２．０ｍｍの範囲であることが好ましい。二酸化マンガンを含む酸化触媒の粒径が０．４ｍｍ未満であると、触媒の展開率が上がり、粒径の小さいものが流出する場合があり、２．０ｍｍを超えると、触媒表面積が減り、反応効率が低下する場合がある。
【００３９】
酸化処理槽１２における上向流による通水流速は、例えば、１，０００ｍ／日〜３，６００ｍ／日の範囲の高線速であり、１，２００ｍ／日〜２，４００ｍ／日の範囲であることが好ましい。酸化処理槽１２における上向流による通水流速が１，０００ｍ／日未満であると、触媒が略均一に流動せず、片流れが生じる場合があり、３，６００ｍ／日を超えると、触媒の展開率が上がり、酸化処理槽１２の槽高が高くなる場合がある。
【００４０】
酸化処理槽１２における反応温度は、例えば、１℃〜５０℃の範囲である。
【００４１】
膜ろ過装置１４において用いるろ過膜は、酸化析出された鉄およびマンガン等の析出物をろ過できるものであればよく、特に制限はないが、例えば、ＵＦ膜、ＭＦ膜等が挙げられ、二酸化マンガンを含む酸化触媒から剥離した微細なマンガン粒子（例えば、０．１μｍ未満）等を除去できる等の点から、ＵＦ膜が好ましい。
【００４２】
処理対象となる鉄／マンガン含有水は、鉄およびマンガンのうち少なくとも１つを含み、少なくともマンガンを含むことが好ましく、通常は鉄およびマンガンの両方を含む。鉄／マンガン含有水中の溶解性鉄の含有量は、例えば０．１〜１０ｍｇ／Ｌの範囲であり、溶解性マンガンの含有量は、例えば０．０１〜５ｍｇ／Ｌの範囲である。
【００４３】
処理対象となる鉄／マンガン含有水としては、例えば、河川水、地下水、湖沼水等が挙げられる。
【００４４】
本実施形態に係る鉄／マンガン含有水の処理装置および処理方法は、例えば、浄水処理場、地下水の用水処理等において好適に適用可能である。
【実施例】
【００４５】
以下、実施例および比較例を挙げ、本発明をより具体的に詳細に説明するが、本発明は、以下の実施例に限定されるものではない。
【００４６】
＜実施例１、比較例１〜３＞
４本のカラム（φ４０ｍｍ×２０００ｍｍ）のそれぞれに、砂利を充填して触媒支持砂利層（高さ２００ｍｍ）を形成し、さらに二酸化マンガンを含む酸化触媒を１Ｌずつ充填して触媒層（高さ８００ｍｍ）を形成し、酸化処理槽とした。それぞれのカラムに流速１，５００ｍ／日の上向流で２週間連続通水後、通水を停止した。その後、表１に示す条件でそれぞれ酸化処理槽の洗浄を行った（実施例１、比較例１〜３）。実施例１では、空気洗浄を１分間行った後、水洗浄を４分間行い、比較例１〜３では、水洗浄４分間のみを行った。水洗浄は、原水の通水と同様にして、原水を通水し、空気洗浄は、φ１０ｍｍの円筒状管の側面にφ４ｍｍの空気吐出口を１０ｍｍ間隔で３カ所に一列で設けたものを用い、その円筒状管をカラムの触媒支持砂利層部分の直径方向に空気吐出口が下向きになるように挿入して、コンプレッサにより空気を吐出させて行った。二酸化マンガンを含む酸化触媒として、粒径（有効径）０．５ｍｍ、密度４．０ｇ／ｃｍ３のβ型の結晶構造を有する酸化マンガン粒子を用い、酸化剤として次亜塩素酸ナトリウムを注入し、残留塩素濃度が０．４ｍｇ／Ｌとなるようにした。原水水質は表２に示す通りであった。洗浄の結果を表３に示す。
【００４７】
【表１】
2015147155.tif 000003
【００４８】
【表２】
2015147155.tif 000004
【００４９】
【表３】
2015147155.tif 000005
【００５０】
比較例１〜３のように水洗浄のみを行った場合は、水洗浄の流速を上げるほど二酸化マンガンを含む酸化触媒中に捕捉されていた鉄およびマンガンが系外に排出される結果となった。一方、実施例１のように洗浄時に空気洗浄を併用した場合は水洗浄の流速が１，５００ｍ／日でも、水洗浄のみ２，０００ｍ／日の場合（比較例２）より鉄およびママンガンの排出量は多く、水洗浄のみ３，５００ｍ／日の場合（比較例３）と同等の洗浄効果が得られる結果となった。本装置を用いることにより、従来装置と比べ、二酸化マンガンを含む酸化触媒が充填された酸化処理槽の水洗浄時の流速を大幅に低減することが可能となった。
【符号の説明】
【００５１】
１  鉄／マンガン含有水処理装置、１０，５０  原水槽、１２，５２  酸化処理槽、１４，５４  膜ろ過装置、１６，５６  処理水槽、１８，５８  酸化剤槽、２０  コンプレッサ、２２，２４，２６  ポンプ、２８  原水配管、３０  原水供給配管、３２  酸化処理水配管、３４  処理水配管、３６  処理水排出配管、３８  逆洗配管、４０  酸化剤供給配管、４２  気体供給配管、４４  逆洗排水配管。
【図１】
2015147155.tif 000006
【図２】
2015147155.tif 000007